(57)【要約】【課題】  画像データを受信する側の回路に簡単な回路を設けることで、ＣＰＵパワーの有効利用、バス占有率の低減及び専用プロセッサの不要化を図った画像処理システムを提供する。【解決手段】  画像処理システムにおいて、データ受信回路２０は、ＣＰＵ１８から転送された画像データを記憶するバッファ２２と、同期信号生成回路３４と、ＣＰＵに画像データ転送要求を出力する転送要求出力回路３０と、転送要求出力回路３０に転送要求を出力させる制御を行うとともに、ＣＰＵ１８からの指示に従って、バッファ２２に既に記憶されている画像データを、新たに転送されるべき画像データとして再利用する制御を行う受信制御回路３６と、を具備し、ＣＰＵ１８は、既に転送された画像データが新たに転送されるべき画像データとして再利用可能である場合に、画像データを転送することなく、画像データの再利用を指示する。【選択図】      図１
2006323285.tif 000002
【特許請求の範囲】
【請求項１】
画像データを受信して表示装置に画像を表示させる画像データ受信回路と、該画像データ受信回路に画像データを転送する中央処理装置と、を備える画像処理システムであって、該画像データ受信回路が、
該中央処理装置から転送された一定量の画像データを記憶するバッファと、
画像表示における水平同期信号及び垂直同期信号を生成する同期信号生成手段と、
該中央処理装置に画像データ転送要求を出力する転送要求出力手段と、
前記バッファに画像データが埋まるまで、水平同期信号又は垂直同期信号に同期して、前記転送要求出力手段に画像データ転送要求を出力させる制御を行うとともに、該中央処理装置からの指示に従って、前記バッファに既に記憶されている画像データを、新たに転送されるべき画像データとして再利用する制御を行う画像データ受信制御手段と、
を具備し、該中央処理装置が、
既に転送された画像データが新たに転送されるべき画像データとして再利用可能である場合に、該画像データ受信回路に対して、画像データを転送することなく、画像データの再利用を指示する画像データ転送要否判定手段、
を具備することを特徴とする画像処理システム。
【請求項２】
前記バッファは、１ライン分の画像データを記憶するものであり、前記画像データ受信制御手段は、一つのラインについての画像データ受信完了後、次のラインについての画像データが受信された画像データと等価であるかについて該中央処理装置に問い合わせ、前記画像データ転送要否判定手段は、該問い合わせに応じて再利用の可否を応答する、請求項１に記載の画像処理システム。
【請求項３】
前記バッファは、１ライン分の画像データを記憶するものであり、前記画像データ受信制御手段は、一つのラインについての画像データ受信完了後、次のラインについての画像データ送信要求を出力した際、該中央処理装置からデータイネーブル信号を受信しない場合に、再利用を実行する、請求項１に記載の画像処理システム。
【請求項４】
前記バッファは、１ライン分の画像データを記憶するものであり、前記画像データ受信制御手段は、一つのラインについての画像データ受信完了後、次のラインについての画像データ送信要求を出力する前に、該中央処理装置から再利用を指示する信号を受信した場合に、再利用を実行する、請求項１に記載の画像処理システム。
【請求項５】
画像データが再利用される場合に画像データ受信回路と中央処理装置との間で画像データ転送のためのバス利用がないと認識して他のメディアについてのデータ転送を行う、請求項１に記載の画像処理システム。
【請求項６】
前記バッファは、１フレーム分の画像データを記憶するものであり、前記画像データ転送要否判定手段は、一つのフレームとその前のフレームとの間で対応する画素単位の差分値を算出し、該差分値が所定のしきい値以下であれば、当該画素データを転送することなく、当該画素データについて再利用を指示する、請求項１に記載の画像処理システム。
【請求項７】
前記バッファは、１フレーム分の画像データを記憶するものであり、前記画像データ転送要否判定手段は、一つのフレームとその前のフレームとの間で対応する画素単位に、輝度信号成分の差分値及び色差信号成分の差分値を算出し、該差分値の双方がともに又は少なくとも一方が所定のしきい値以下であれば、当該画素データを転送することなく、当該画素データについて再利用を指示する、請求項１に記載の画像処理システム。
【請求項８】
前記しきい値が画素データの明るさに応じた可変値である、請求項６又は請求項７に記載の画像処理システム。
【請求項９】
前記画像データ転送要否判定手段は、現在受信中の画像データと所定時間前に受信された画像データとの間で、ＡＧＣ電圧レベルの差分値又はＡＧＣ電圧変動の差分値を算出し、該差分値が所定のしきい値以下であれば、当該受信中の画像データを転送しない、請求項１に記載の画像処理システム。
【請求項１０】
当該受信中の画像データが転送されないときに、前記画像データ受信回路は、表示装置に画像を表示させない、請求項９に記載の画像処理システム。
【請求項１１】
前記しきい値が車速及び／又は受信周波数に応じた可変値である、請求項９に記載の画像処理システム。
【請求項１２】
前記しきい値がユーザによって設定可能なように構成されている、請求項６又は請求項９に記載の画像処理システム。
【請求項１３】
前記バッファは、１フレーム分の画像データを記憶するものであり、前記画像データ転送要否判定手段は、一つのフレームとその前のフレームとの間で対応するライン単位の差分値を算出し、該差分値が所定のしきい値以下であれば、当該ラインデータを転送することなく、当該ラインデータについて再利用を指示する、請求項１に記載の画像処理システム。
【請求項１４】
前記バッファは、１フレーム分の画像データを記憶するものであり、前記画像データ転送要否判定手段は、一つのフレームとその前のフレームとの間の差分値を算出し、該差分値が所定のしきい値以下であれば、当該フレームデータを転送することなく、当該フレームデータについて再利用を指示する、請求項１に記載の画像処理システム。
【請求項１５】
前記中央処理装置は、ｎ本のライン間の平均値で構成される１ライン分のデータを転送し、前記画像データ受信回路は、転送された当該１ライン分のデータをｎライン分繰り返して表示装置に表示させる、請求項１に記載の画像処理システム。
【請求項１６】
前記バッファは、ハーフフレーム分又は一定画素数分の画像データを記憶するものである、請求項１に記載の画像処理システム。
【請求項１７】
前記バッファは、転送中の画像データと表示中の画像データとに対応する少なくとも二つのメモリから構成される、請求項１に記載の画像処理システム。
【請求項１８】
前記画像データ受信制御手段は、画像の拡大又は縮小時に前記中央処理装置に対して拡大又は縮小に応じたタイミングで画像データ転送要求を出力する、請求項１に記載の画像処理システム。
【請求項１９】
前記画像データ受信制御手段は、間引き再生が必要な場合、次回の転送時に必要となるアドレスを前記中央処理装置に対して通知する、請求項１に記載の画像処理システム。
【請求項２０】
前記画像データ受信制御手段は、画像の部分拡大表示を実施する場合、必要なアドレスを通知するとともに、複数回同一アドレスを読み返すことで拡大を実現する、請求項１に記載の画像処理システム。
【発明の詳細な説明】
【技術分野】
【０００１】
本発明は、例えばカーナビゲーションシステムや、その他の動画・静止画表示装置全般に適用可能な画像処理システムに関する。
【背景技術】
【０００２】
従来から、ビデオ信号の表示方式に従って画像を表示する際には、画像処理専用プロセッサ又は中央処理装置（ＣＰＵ）によるソフトウェア処理によって画像データとその出力タイミングとを制御する構成を採用するのが主流となっている。
【０００３】
しかしながら、この構成においては、画像処理専用プロセッサ及びＣＰＵは、ともに、画像データ転送に特化することとなり、他の処理を時分割で実行することができない。その結果、バスの占有率が上昇し、システム全体の性能が低下する。
【０００４】
なお、本発明に関する先行技術文献として、下記特許文献１は、動画像の圧縮／伸長に必要なコマンド列を事前にＣＰＵから与え、動画像の垂直同期信号に従ってその圧縮／伸長を制御することにより、コンピュータシステムの汎用の機能との競合を回避し、動画像のタイミングに即した高品質の圧縮／伸長処理を実現し得る画像処理方法及び装置を開示している。
【０００５】
【特許文献１】特許第３１５９５９１号公報
【発明の開示】
【発明が解決しようとする課題】
【０００６】
本発明は、上述した問題点に鑑みてなされたものであり、その目的は、画像データを受信する側の回路に簡単な回路を設けることで、ＣＰＵパワーの有効利用、バス占有率の低減及び専用プロセッサの不要化を図った画像処理システムを提供することにある。
【課題を解決するための手段】
【０００７】
上記目的を達成するために、本発明によれば、画像データを受信して表示装置に画像を表示させる画像データ受信回路と、該画像データ受信回路に画像データを転送する中央処理装置と、を備える画像処理システムであって、該画像データ受信回路が、該中央処理装置から転送された一定量の画像データを記憶するバッファと、画像表示における水平同期信号及び垂直同期信号を生成する同期信号生成手段と、該中央処理装置に画像データ転送要求を出力する転送要求出力手段と、前記バッファに画像データが埋まるまで、水平同期信号又は垂直同期信号に同期して、前記転送要求出力手段に画像データ転送要求を出力させる制御を行うとともに、該中央処理装置からの指示に従って、前記バッファに既に記憶されている画像データを、新たに転送されるべき画像データとして再利用する制御を行う画像データ受信制御手段と、を具備し、該中央処理装置が、既に転送された画像データが新たに転送されるべき画像データとして再利用可能である場合に、該画像データ受信回路に対して、画像データを転送することなく、画像データの再利用を指示する画像データ転送要否判定手段、を具備することを特徴とする画像処理システムが提供される。
【０００８】
一つの好適な態様では、前記バッファは、１ライン分の画像データを記憶するものであり、前記画像データ受信制御手段は、一つのラインについての画像データ受信完了後、次のラインについての画像データが受信された画像データと等価であるかについて該中央処理装置に問い合わせ、前記画像データ転送要否判定手段は、該問い合わせに応じて再利用の可否を応答する。
【０００９】
一つの好適な態様では、前記バッファは、１ライン分の画像データを記憶するものであり、前記画像データ受信制御手段は、一つのラインについての画像データ受信完了後、次のラインについての画像データ送信要求を出力した際、該中央処理装置からデータイネーブル信号を受信しない場合に、再利用を実行する。
【００１０】
一つの好適な態様では、前記バッファは、１ライン分の画像データを記憶するものであり、前記画像データ受信制御手段は、一つのラインについての画像データ受信完了後、次のラインについての画像データ送信要求を出力する前に、該中央処理装置から再利用を指示する信号を受信した場合に、再利用を実行する。
【００１１】
一つの好適な態様では、画像データが再利用される場合に画像データ受信回路と中央処理装置との間で画像データ転送のためのバス利用がないと認識して他のメディアについてのデータ転送を行う。
【００１２】
一つの好適な態様では、前記バッファは、１フレーム分の画像データを記憶するものであり、前記画像データ転送要否判定手段は、一つのフレームとその前のフレームとの間で対応する画素単位の差分値を算出し、該差分値が所定のしきい値以下であれば、当該画素データを転送することなく、当該画素データについて再利用を指示する。
【００１３】
一つの好適な態様では、前記バッファは、１フレーム分の画像データを記憶するものであり、前記画像データ転送要否判定手段は、一つのフレームとその前のフレームとの間で対応する画素単位に、輝度信号成分の差分値及び色差信号成分の差分値を算出し、該差分値の双方がともに又は少なくとも一方が所定のしきい値以下であれば、当該画素データを転送することなく、当該画素データについて再利用を指示する。
【００１４】
一つの好適な態様では、前記しきい値が画素データの明るさに応じた可変値である。
【００１５】
一つの好適な態様では、前記画像データ転送要否判定手段は、現在受信中の画像データと所定時間前に受信された画像データとの間で、ＡＧＣ電圧レベルの差分値又はＡＧＣ電圧変動の差分値を算出し、該差分値が所定のしきい値以下であれば、当該受信中の画像データを転送しない。
【００１６】
一つの好適な態様では、当該受信中の画像データが転送されないときに、前記画像データ受信回路は、表示装置に画像を表示させない。
【００１７】
一つの好適な態様では、前記しきい値が車速及び／又は受信周波数に応じた可変値である。
【００１８】
一つの好適な態様では、前記しきい値がユーザによって設定可能なように構成されている。
【００１９】
一つの好適な態様では、前記バッファは、１フレーム分の画像データを記憶するものであり、前記画像データ転送要否判定手段は、一つのフレームとその前のフレームとの間で対応するライン単位の差分値を算出し、該差分値が所定のしきい値以下であれば、当該ラインデータを転送することなく、当該ラインデータについて再利用を指示する。
【００２０】
一つの好適な態様では、前記バッファは、１フレーム分の画像データを記憶するものであり、前記画像データ転送要否判定手段は、一つのフレームとその前のフレームとの間の差分値を算出し、該差分値が所定のしきい値以下であれば、当該フレームデータを転送することなく、当該フレームデータについて再利用を指示する。
【００２１】
一つの好適な態様では、前記中央処理装置は、ｎ本のライン間の平均値で構成される１ライン分のデータを転送し、前記画像データ受信回路は、転送された当該１ライン分のデータをｎライン分繰り返して表示装置に表示させる。
【００２２】
一つの好適な態様では、前記バッファは、ハーフフレーム分又は一定画素数分の画像データを記憶するものである。
【００２３】
一つの好適な態様では、前記バッファは、転送中の画像データと表示中の画像データとに対応する少なくとも二つのメモリから構成される。
【００２４】
一つの好適な態様では、前記画像データ受信制御手段は、画像の拡大又は縮小時に前記中央処理装置に対して拡大又は縮小に応じたタイミングで画像データ転送要求を出力する。
【００２５】
一つの好適な態様では、前記画像データ受信制御手段は、間引き再生が必要な場合、次回の転送時に必要となるアドレスを前記中央処理装置に対して通知する。
【００２６】
一つの好適な態様では、前記画像データ受信制御手段は、画像の部分拡大表示を実施する場合、必要なアドレスを通知するとともに、複数回同一アドレスを読み返すことで拡大を実現する。
【発明の効果】
【００２７】
本発明による画像処理システムにおいては、中央処理装置（ＣＰＵ）は、画像データ受信回路から画像データ転送要求が来るたびに画像データを送ればよいためにタイミングを考慮する必要がなくなる。また、既に送られた画像データが再利用される。したがって、ＣＰＵパワーの有効利用、バス占有率の低減及び専用プロセッサの不要化が図られる。
【発明を実施するための最良の形態】
【００２８】
以下、添付図面を参照して本発明の実施形態について説明する。図１は、本発明による画像処理システムの一実施形態を示すブロック図である。同図において、符号１０はアンテナ、符号１２はＡＧＣ（自動利得制御）回路、符号１４は画像データ転送要否判定回路、符号１６は記憶メディア、符号１８はＣＰＵ（中央処理装置）、符号２０はデータ受信回路、符号４０は表示装置、をそれぞれ示す。なお、画像データ転送要否判定回路１４は、ＣＰＵ１８の内部に設けられてもよい。
【００２９】
表示装置４０は、ＮＴＳＣ方式の表示装置、セパレートＲＧＢ方式の表示装置、ＰＡＬ方式の表示装置、ＳＥＣＡＭ方式の表示装置、コンポジットデータ方式の表示装置、Ｙ／Ｃ方式の表示装置、ＹＣｂＣｒ方式の表示装置、ＶＦＤのインタフェースを持つ表示装置又は有機ＥＬのインタフェースを持つ表示装置のいずれであってもよい。
【００３０】
データ受信回路２０は、ＣＰＵ１８から転送される画像データを受信して、表示装置４０に画像を表示させる処理を行うものであり、一つのＡＳＩＣ（特定用途向け集積回路）として構成される。データ受信回路２０の内部には、表示ＦＩＦＯ（First-In First-Out）メモリ２２、表示インタフェース回路２４、音声ＦＩＦＯメモリ２６、音声インタフェース回路２８、画像転送要求出力回路３０、音声転送要求出力回路３２、水平及び垂直同期信号生成回路３４、受信制御回路３６、等が設けられている。
【００３１】
表示ＦＩＦＯメモリ２２は、例えば、画像転送における１ライン分の画像データを記憶するバッファである。また、画像転送要求出力回路３０は、ＣＰＵ１８に対して画像データ転送要求を出力する回路である。また、水平及び垂直同期信号生成回路３４は、画像表示における水平同期信号及び垂直同期信号を生成する回路である。また、受信制御回路３６は、基本的に、水平及び垂直同期信号生成回路３４からの信号を受信し、表示ＦＩＦＯメモリ２２に一定量の画像データ（例えば、画像１ライン分のデータ）が埋まるまで、画像転送要求出力回路３０を制御して画像データ転送要求を出力させる回路である。以下、画像データ転送動作の例について説明する。
【００３２】
受信制御回路３６は、水平及び垂直同期信号生成回路３４によって生成された水平同期信号を受信すると、画像転送要求出力回路３０に対して画像データ転送要求を出力するよう指示する。画像転送要求出力回路３０は、その指示を受けると、ＣＰＵ１８に対して画像データ転送要求を出力する。ＣＰＵ１８は、データ受信回路２０からの画像データ転送要求を受信すると、データイネーブル信号をデータ受信回路２０に返す。受信制御回路３６は、表示ＦＩＦＯメモリ２２が１ライン分のデータを受信し終わるまで、画像転送要求出力回路３０に対して画像データ転送要求を出力させる制御を繰り返す。
【００３３】
このように、データ受信回路２０がライン毎のデータ転送をＣＰＵ１８に促す。したがって、ＣＰＵ１８は、画像データを出力するタイミングを認識する必要がなく、データ受信回路２０からの画像データ転送要求のみを監視すればよい。そして、受信制御回路３６は、１ライン分のデータの受信が完了したことを確認すると、表示インタフェース回路２４にデータを渡して画像データの出力を開始させる制御を行う。
【００３４】
以上の１ライン分の処理が完了すると、表示ＦＩＦＯメモリ２２に記憶されたデータを再利用することができるかどうかを判定する。その実現方法として、以下の３通りの方法が可能であり、それらの方法が図２、図３及び図４に示される。
【００３５】
図２の方法では、１ライン分の処理が完了した後、データ受信回路２０（受信制御回路３６）は、ＣＰＵ１８に対し、次ラインについて、データの等価性、すなわちその前のラインと等価であるか否かを問いかける。そして、一定期間（例えば、次の水平同期信号を受信し、画像転送要求出力回路３０に対して要求出力を指示するまで）に回答を受ける。受信制御回路３６は、等価である旨の信号を受けた場合、次の水平同期期間については、画像転送要求出力回路３０に対して転送要求出力指示を与えず、表示ＦＩＦＯメモリ２２に記憶されたデータを再利用する制御を行う。
【００３６】
次に、図３の方法では、１ライン分の処理の完了後、特に特別な信号がＣＰＵ１８に対し発せられるわけではない。しかし、受信制御回路３６は、次の水平同期信号を受信し、画像転送要求出力回路３０に画像データ転送要求を出力させた際、ＣＰＵ１８からのデータイネーブル信号を受信しなければ、次ラインについてのデータはその前のラインと等価であると判断し、表示ＦＩＦＯメモリ２２に記憶されたデータを再利用する制御を行う。
【００３７】
最後に、図４の方法では、受信制御回路３６は、１ライン分の処理の完了後、次の水平同期信号を受信するときまでに、ＣＰＵ１８から等価である旨を示す信号を受信した場合に、次ラインについてのデータはその前のラインと等価であると判断し、画像転送要求出力回路３０に対して転送要求出力指示を与えず、表示ＦＩＦＯメモリ２２に記憶されたデータを再利用する制御を行う。
【００３８】
画像データが再利用される場合には、受信制御回路３６は、データ受信回路２０とＣＰＵ１８との間で画像データ転送のためのバス利用がないと判断して、他のメディアについてのデータ転送を行う制御をする。例えば、受信制御回路３６は、音声転送要求出力回路３２に対して音声データ転送要求を出力させる制御を行うことで、ＣＰＵ１８に対し音声データの転送を要求する。このように、データ受信回路２０は、バスアービタの機能を持つ。
【００３９】
次に、ＣＰＵ１８側の処理について詳細に説明する。図５は、画像データ転送要否判定回路１４についての第一の構成例を説明するための機能ブロック図である。なお、この例では、表示ＦＩＦＯメモリ２２が１フレーム分の画像データを記憶するものであり、データ受信回路２０は前のフレームの画像データを画素単位で再利用することができることを前提としている。図５に示される構成例では、一つのフレームのある画素データＢとその前のフレームの対応する画素データＡとの差分値｜Ａ−Ｂ｜＝Ｃが算出される。そして、差分値Ｃが所定のしきい値と比較され、しきい値以下であれば、当該画素データを転送することなく、当該画素データについて再利用を指示すべく、再利用指示信号がアクティブにされる。この構成例は、微小な差であれば人間の目ではわからないことに基づくものである。
【００４０】
なお、図５に示されるしきい値は、画素データの明るさすなわち輝度信号の大きさに応じた可変値であることが好ましい。すなわち、人間の目は明暗や色の識別能力が低いことを利用して、暗い映像についてはしきい値を大きくすることで、再利用の頻度を上げることが可能となる。また、このしきい値は、ユーザによって設定可能なように構成されてもよい。この場合、ユーザによるしきい値の設定のためにプリセットスイッチを設けることが可能である。
【００４１】
図６は、画像データ転送要否判定回路１４についての第二の構成例を説明するための機能ブロック図である。なお、この例では、表示ＦＩＦＯメモリ２２が１フレーム分の画像データを記憶するものであり、データ受信回路２０は前のフレームの画像データを画素単位で再利用することができることを前提としている。図６に示される構成例では、一つのフレームとその前のフレームとの間で対応する画素単位に、輝度信号（Ｙ）成分の差分値及び色差信号（Ｃｂ，Ｃｒ）成分の差分値が算出される。そして、これら差分値の双方がともに所定のしきい値以下であるか又は少なくとも一方が所定のしきい値以下であれば、当該画素データを転送することなく、当該画素データについて再利用を指示すべく、再利用指示信号がアクティブにされる。なお、この例におけるしきい値も、画素データの明るさに応じた可変値であることが好ましい。
【００４２】
図７は、画像データ転送要否判定回路１４についての第三の構成例を説明するための機能ブロック図である。図７に示される構成例では、アンテナ１０及びＡＧＣ（自動利得制御）回路１２を介して受信中の画像データに関するＡＧＣデータがアナログ／デジタル変換される。そして、その変換後ＡＧＣデータが、所定時間前に受信されアナログ／デジタル変換されたＡＧＣデータとの間で差分をとられ、ＡＧＣ電圧レベルの差分値又はＡＧＣ電圧変動の差分値が算出される。この差分値が所定のしきい値以上であれば、当該受信中の画像データは転送されない。
【００４３】
そして、このように受信中の画像データが転送されないときには、データ受信回路２０は、表示装置４０に画像を表示させないことが好ましい。これは、車載用ＴＶ信号では、受信電界の変動が激しく、ほとんど画面を認識することができない場合があることを考慮したものである。また、ＡＧＣ電圧の変動は車速が大きいと大きくなるため、しきい値は車速に応じた可変値であることが好ましい。また、ＡＧＣ電圧の変動は受信周波数が高くなると大きくなるため、しきい値は受信周波数に応じた可変値としてもよい。さらには、しきい値は、車速と受信周波数とに応じた可変値とすることもできる。あるいは、しきい値は、ユーザによって設定可能なように構成されてもよく、そのために、プリセットスイッチを設けることが可能である。
【００４４】
なお、前述した図５の構成の変形例として、一つのフレームとその前のフレームとの間で対応するライン単位の差分値を算出し、その差分値が所定のしきい値以下であれば、当該ラインデータを転送することなく、当該ラインデータについて再利用を指示するようにしてもよい。
【００４５】
図８は、画像データ転送要否判定回路１４についての第四の構成例を説明するための機能ブロック図である。図８に示される構成例では、表示ＦＩＦＯメモリ２２が１フレーム分の画像データを記憶するものであることを前提としている。この例では、一つのフレームのある画素データＢとその前のフレームの対応する画素データＡとの差分値｜Ａ−Ｂ｜＝Ｃが算出される。そして、この差分値Ｃが１フレーム分、累積加算される。こうして、一つのフレームとその前のフレームとの間の差分値が算出され、その差分値が所定のしきい値以下であれば、当該フレームデータを転送することなく、前のフレームデータを再利用するように、再利用指示信号がアクティブにされる。
【００４６】
以下、本発明による画像データ転送量削減のための更なる構成例について説明する。図９に示される例においては、ＣＰＵ１８は、同図に示されるように、ｎ本のライン間の平均値で構成される１ライン分のデータを転送する。そして、データ受信回路２０は、転送された当該１ライン分のデータをｎライン分繰り返して表示装置に表示させる。かくして、画像データ転送量が削減される。
【００４７】
また、表示ＦＩＦＯメモリ２２は、ハーフフレーム分又は一定画素数分の画像データを記憶するバッファとして構成することが可能である。具体的には、小容量ＦＩＦＯ、フリップフロップ（ＦＦ）、メモリ等を活用して、バッファが空になる前にＣＰＵ（ホスト）に対して送信要求を出す回路と、そのバッファから画像同期してデータを出す回路と、を設けるようにする。ラインメモリを持った場合と比較してＣＰＵの割り込み間隔や画像加工の自由度の点で劣るが、メモリ容量が少なくてすみ、安価なシステムを構築する上で有利である。
【００４８】
また、表示ＦＩＦＯメモリ２２は、転送中の画像データと表示中の画像データとに対応する少なくとも二つのメモリから構成されるようにしてもよい。具体的には、複数個又は複数エリアに分けることが可能なメモリと、それぞれに対してメモリの空又は残量を管理する回路と、そのメモリから画像同期してデータを出す回路と、を設けるようにする。メモリ（バッファ）を複数エリア構成とすることで、転送間隔における自由度が増し、複数画像又は複数メディアを扱うホスト（ＣＰＵ）を搭載するシステムにおいて有効である。
【００４９】
また、受信制御回路３６は、画像の拡大又は縮小時にＣＰＵ１８に対して拡大又は縮小に応じたタイミングで画像データ転送要求を出力することができる。具体的には、拡大が設定されたのに応じて同じラインを２回表示する必要がある場合には、２回分の表示に対して１回分のデータ転送要求をＣＰＵ１８に対して行う。一方、縮小が設定された場合には、縮小数に応じてそれぞれの画素に対し微分等の処理を施し、画像同期してデータを出す回路を設ける。こうすることで、同一データを複数回転送する必要がなくなり、ホストのバス占有率が小さくなる。
【００５０】
また、受信制御回路３６は、間引き再生が必要な場合、次回の転送時に必要となるアドレスをＣＰＵ１８に対して通知するように構成することができる。具体的には、転送要求を出す前に、ＣＰＵ１８に対して、要求アドレス、レングス、アドレス飛ばし幅等を通知する回路と、メモリから画像同期してデータを出す回路と、を設ける。画像の切り出し表示をし、又は複数画像を同一モニタに表示する際に、データ受信側に一度設定を行うと、次回からはホスト（ＣＰＵ）が判断してアドレスを要求してくるため、ホスト（ＣＰＵ）の処理能力が低いシステムのコスト効率において有利である。
【００５１】
また、受信制御回路３６は、画像の部分拡大表示を実施する場合、必要なアドレスを通知するとともに、複数回同一アドレスを読み返すことで拡大を実現するように構成することができる。具体的には、転送要求を出す前に、ＣＰＵ１８に対して、要求アドレス及びレングスを通知し、画面を切り出し転送する回路と、表示画素に応じて同一メモリを水平あるいは垂直方向に繰り返し表示する回路と、を設ける。画像のズームや切り出し拡大表示において、データ受信回路（デバイス）に一度設定を行うと、次回からはホスト（ＣＰＵ）が判断してアドレスを要求してくるため、ホスト（ＣＰＵ）の処理能力が低いシステムのコスト効率において有利である。
【図面の簡単な説明】
【００５２】
【図１】本発明による画像処理システムの一実施形態を示すブロック図である。
【図２】ＣＰＵがデータ受信回路に対して画像データの再利用を指示する第一の方法を説明するための図である。
【図３】ＣＰＵがデータ受信回路に対して画像データの再利用を指示する第二の方法を説明するための図である。
【図４】ＣＰＵがデータ受信回路に対して画像データの再利用を指示する第三の方法を説明するための図である。
【図５】画像データ転送要否判定回路についての第一の構成例を説明するための機能ブロック図である。
【図６】画像データ転送要否判定回路についての第二の構成例を説明するための機能ブロック図である。
【図７】画像データ転送要否判定回路についての第三の構成例を説明するための機能ブロック図である。
【図８】画像データ転送要否判定回路についての第四の構成例を説明するための機能ブロック図である。
【図９】画像データ転送量を低減するための更なる構成例を説明するための図である。
【符号の説明】
【００５３】
１０    アンテナ
１２    ＡＧＣ（自動利得制御）回路
１４    画像データ転送要否判定回路
１６    記憶メディア
１８    ＣＰＵ（中央処理装置）
２０    データ受信回路
２２    表示ＦＩＦＯメモリ
２４    表示インタフェース回路
２６    音声ＦＩＦＯメモリ
２８    音声インタフェース回路
３０    画像転送要求出力回路
３２    音声転送要求出力回路
３４    水平及び垂直同期信号生成回路
３６    受信制御回路
４０    表示装置
【図１】
2006323285.tif 000003
【図２】
2006323285.tif 000004
【図３】
2006323285.tif 000005
【図４】
2006323285.tif 000006
【図５】
2006323285.tif 000007
【図６】
2006323285.tif 000008
【図７】
2006323285.tif 000009
【図８】
2006323285.tif 000010
【図９】
2006323285.tif 000011